【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
両眼球それぞれの前に１個ずつプリズムを設置する。その際、内側（鼻側）をプリズムの薄い方、外側（耳側）をプリズムの厚い方になるようにする。
以上のように設置した２個のプリズムを適当な保持具により両眼球の前に保持するようにした近視治療具。
【請求項２】
左眼球の前に１枚目の鏡を斜めに設置する。その際、左眼から見て鏡の鏡面が見え、かつ鏡面には外側（左耳側）の物が映るように設置する。次に２枚目の鏡を１枚目の鏡の外側（左耳側）に斜めに設置する。その際、１枚目の鏡の鏡面と２枚目の鏡の鏡面が向い合うようにし、かつ左眼から見たときに１枚目の鏡の鏡面に２枚目の鏡の鏡面が映り、かつ映った２枚目の鏡の鏡面には前方の物が映るように設置する。すなわち、左眼が２枚の鏡を介して前方の物を見ることができるように２枚の鏡を設置する。
右眼球側にも同様に２枚の鏡を設置するが、設置位置は左眼球側の２枚の鏡と対称（鼻を中心として）な位置とする。
左右両眼はそれぞれが２枚の鏡を介して前方の物を見るが、左右両眼が同時に同じ物を見ることができるように鏡の位置、角度を調節する。
以上のように設置した４枚の鏡を、適当な保持具により左右両眼球の前に保持するようにした、近視治療具。
【手続補正２】
【補正対象書類名】明細書
【補正対象項目名】全文
【補正方法】変更
【補正の内容】
【発明の詳細な説明】
【発明の名称】近視治療具
【技術分野】
【０００１】  本発明はプリズムあるいは鏡を使用することで、見る対象物に向かう方向よりも強い輻輳（内寄せ）を左右両眼球に生じさせ、もって近視治療を行う近視治療具である。
【背景技術】
【０００２】  眼球の基本構造は図１のようであり、対象物からの反射光は眼球前部の水晶体を通る際に屈折し網膜上に明瞭な像を結ぶ。その際、図３、図５、図６のように、遠くの対象物を見る時は水晶体を薄くし、近くの対象物を見る時には水晶体を厚くする。近視眼とは、図４のように遠距離の対象物を見る際に水晶体を薄くできず、網膜上に明瞭な像を結べなくなった状態である。【０００３】  従来の近視治療具は対象物を遠ざけたり近づけたりを繰り返す、あるいは眼前にレンズを設置し、そのレンズの強度を変化させるなどして、水晶体の厚さを変化させる眼球の機構を訓練する、あるいは柔軟性を回復させる、というものであったり、左右両眼球の輻輳（内寄せ）弱めることによって内転筋の緊張を弱め、もって眼球機構の緊張を解こうとするものであった。【０００４】  左右両眼球の輻輳（内寄せ）と水晶体の厚さを変化させる機構は自動的に連動するようになっており、これを輻輳反射という。近視の原因を、水晶体を厚くする毛様体筋や左右両眼球を輻輳（内寄せ）させる内転筋の過度の緊張にあるとして、その緊張を解くために左右両眼球の輻輳を弱めようとした近視治療具が先行技術文献の特許文献１である。この近視治療具も本発明と同様に図９のごとく左右両眼球の前にプリズムを設置するが、その向きは内側（鼻側）にプリズムの厚い方を、外側（耳側）にプリズムの薄い方が来るようにしている。このようにすると、対象物からの反射光は内側に曲げられ、その結果、視線が外側に開き左右両眼球の輻輳（内寄せ）の度合いを弱める。
これは本発明とはまったく逆である。
【先行技術文献】
【０００５】
【特許文献１】特開２００４−４９８２０
【発明の概要】
【発明が解決しようとする課題】
【０００６】  上記の先行技術は、水晶体の厚さを変化させる毛様体筋や左右両眼球を輻輳（内寄せ）させる内転筋などの過度の緊張が近視の原因であるとしている。そのため、その緊張を解くことが近視の治療になるとして、左右両眼球が対象物を見るために必要な輻輳（内寄せ）を少なくするようにプリズムを設置する向きを決めている。
また、その他の従来の近視治療具もすべて毛様体筋の過度の緊張が近視の原因であるとしており、その緊張を解くことを目的としている。
しかし近視の本当の成因は現在でもはっきりせず、近視の原因は毛様体筋や内転筋の過度の緊張である、とした考えに基づいた今までの近視治療具は著しい効果を上げていない。
【課題を解決するための手段】
【０００７】  左右両眼球の前にそれぞれ１個ずつプリズムを設置する。その際、内側（鼻側）をプリズムの薄い方、外側（耳側）をプリズムの厚い方になるようにする。
以上のよう設置した２個のプリズムを適当な保持具により両眼球の前に保持する。【０００８】  あるいは、次のような解決手段もある。まず、左眼球の前に１枚目の鏡を斜めに設置する。その際、左眼から見て鏡の鏡面が見え、かつ鏡面には外側（左耳側）の物が映るように斜めに設置する。次に２枚目の鏡を１枚目の鏡の外側（左耳側）に斜めに設置する。その際、１枚目の鏡の鏡面と２枚目の鏡の鏡面が向い合うようにし、かつ左眼から見たときに１枚目の鏡の鏡面に２枚目の鏡の鏡面が映り、かつ映った２枚目の鏡の鏡面には前方の物が映るように設置する。すなわち、左眼が２枚の鏡を介して前方の物を見ることができるように２枚の鏡を設置する。
右眼球側にも同様に２枚の鏡を設置するが、設置位置は左眼球側の２枚の鏡と対称（鼻を中心として）な位置とする。左右両眼はそれぞれが２枚の鏡を介して前方の物を見るが、左右両眼が同時に同じ物を見ることができるように鏡の位置、角度を調節する。
以上のように設置した４枚の鏡を、適当な保持具により左右両眼球の前に保持する。
【発明の効果】
【０００９】  左右両眼球の輻輳（内寄せ）と水晶体厚の調節の間には輻輳反射と言われる反応関係が存在する。すなわち、左右両眼球の輻輳（内寄せ）が強くなればなるほど近くの対象物を見ていることになるので、網膜上に明瞭な像を結ぼうとして水晶体厚を増す反応が生ずる。【００１０】  本発明はこの輻輳反射を利用して近視の治療を行おうとするものである。近視眼では図５、図６のように中間距離Ｂや近距離Ｃにある対象物を見る時にはそれを見るために必要な水晶体厚にできるが、図４のように遠距離Ａにある対象物を見る時にはそれを見るために必要なほどには水晶体を薄くできない。そこで本発明では輻輳反射を利用し、近視眼に水晶体を薄くする傾向を生じさせることで近視治療をしようとするものである。つまり、実際に見ている物が両眼の輻輳（内寄せ）で視線が交差している所よりも遠くの物を見ている状態にすれば、眼は今までにその輻輳角で使用していた水晶体厚よりも水晶体を薄くしなければ網膜上に明瞭な像を結ぶことができず、眼はそのようにする。そしてこのような傾向を近視眼に生じさせることにより近視が治癒してゆくのである。【００１１】  以上のことをさらに詳しく説明する。
図２は３種類の厚みの水晶体を図示したものである。水晶体厚の順はＴＡ＜ＴＢ＜ＴＣである。
図３に左右両眼球が遠距離Ａの位置にある対象物に焦点を合わせて見ている時の状態を示す。この時の輻輳角はθＡ（小）水晶体厚はＴＡ（薄）となる。
図５に左右両眼球が中間距離Ｂの位置にある対象物に焦点を合わせて見ている時の状態を示す。この時の輻輳角はθＢ（中）、水晶体厚はＴＢ（中）となる。
図６に左右両眼球が近距離Ｃの位置にある対象物に焦点を合わせて見ている時の状態を示す。この時の輻輳角はθＣ（大）、水晶体厚はＴＣ（厚）となる。
このように輻輳角が小さくなれば水晶体厚を薄くし、輻輳角が大きくなれば水晶体厚を厚くするという眼球の自動的な反射反応が輻輳反射と言われるものである。【００１２】  しかし近視眼では図５、図６のように中間距離Ｂや近距離Ｃにある対象物を見るために必要な水晶体厚ＴＢ（中）、ＴＣ（厚）は調節できるが、図４のように遠距離Ａにある対象物を見る際にはそれに必要な水晶体厚ＴＡ（薄）にまでは薄くできず、したがってＡにある対象物の明瞭な像を網膜上に結ぶことができない。これを輻輳反射を利用して正し、近視を治療しようとするのが本発明の原理である。【００１３】  図４に近視眼でＡの位置の対象物を見ている状態を示す。
本来、水晶体厚をＴＡ（薄）の厚さにすればＡの位置の対象物は見えるはずであるのに（図３の状態）、近視眼ではＴＡ（薄）より厚いＴＢ（中）までにしかできなくなっている。その結果、眼球内に入射した対象物からの反射光は網膜より前で焦点を結んでしまい、網膜上には明瞭な像を結ばなくなっている。【００１４】  次に、図７に本発明を使用している時の状態を示す。
Ｂの位置の対象物からの反射光はプリズムによって曲げられて眼球内に入る。したがって、眼球の視線はＣの方向に向けられ、この時の輻輳角はθＣ（大）となる。この時、眼は輻輳反射により水晶体厚をＴＣ（厚）にしようとする。しかし、実際に眼球に入射する対象物からの入射光は中間距離Ｂの位置の対象物からの反射光であるため、水晶体厚はＴＣ（厚）よりも薄いＴＢ（中）にしなければ網膜上に明瞭な像を結ばないので、眼球は水晶体厚をＴＢ（中）にする（図５の場合と同じ）。この状態は、輻輳角は近距離を見る時のθＣ（大）でありながら水晶体厚は図５の時と同じ中間距離を見る時のＴＢ（中）にしている、ということである。【００１５】  本発明は上記のように、ある輻輳角に対し、本発明を使用していない時に調節してきた水晶体厚よりも薄い水晶体厚に調節することを、眼球に強いるのである。そして、このような事を近視眼に強い続けると、近視眼はある輻輳角に対して今までに用いていた水晶体厚よりも薄い水晶体厚に調節する傾向を持つようになる。その結果、今まで遠距離Ａの位置の対象物を見る時に水晶体厚をＴＢ（中）にしてしまい明瞭に網膜上に像を結べなかった近視眼に、水晶体厚をＴＢ（中）よりも薄いＴＡ（薄い）近づける傾向が出てきて、徐々に遠距離Ａの対象物も見えるようになってくる。【００１６】  前述ように、先行技術が図９のように左右両眼球の輻輳（内寄せ）を弱めるようにしたうえで近くの物を見させるのに対し、本発明はまったく逆に左右両眼球の輻輳（内寄せ）を強めたうえで遠くのものを見させようとする。【００１７】  なお、本発明を使用する場合には、被治療者が普段かけている眼鏡よりやや度の弱い眼鏡をかけて使用するとより効果的である。【００１８】  以上の本発明の効果は請求項２に記載の実施例（図８）においても全く同様に生じ、むしろこちらのほうが効果は高いようである。請求項２に記載の実施例の場合には左右両眼球がそれぞれの外側の鏡の位置から物を見ている状態になり、より強い立体視を左右両眼球に生じさせることになる。請求項１に記載の実施例が持つ効果に加え、より強い立体視効果があるため請求項２に記載の実施例は効果が高いと思われる。
【図面の簡単な説明】
【００１９】
【図１】左眼球の横断面を上から見た図である。
【図２】３種類の水晶体厚の図である。
【図３】正視眼で遠距離Ａの対象物を見ている時の状態図である。
【図４】近視眼で遠距離Ａの対象物を見ている時の状態図である。
【図５】正視眼あるいは近視眼で中間距離Ｂの対象物を見ている時の状態図である。
【図６】正視眼あるいは近視眼で近距離Ｃの対象物を見ている時の状態図である。
【図７】本発明の請求項１を使用している時の状態図である。
【図８】本発明の請求項２を使用している時の状態図である。
【図９】従来（先行技術）の近視治療具を使用している時の状態図である。
【発明を実施するための形態】
【００２０】  以下、本発明を実施するための形態について図７をもとに説明する。
（イ）左右両眼球それぞれの前に１個ずつプリズムを設置する。
（ロ）プリズムは、薄い方を内側（鼻側）に、厚い方を外側（耳側）に設置する。
（ハ）以上２個のプリズムを適当な保持具により左右両眼球の前に保持する。
【００２１】  また、本発明は以下の様な実施形態（図８）にすることもできる。
（イ）左眼球の前に１枚目の鏡を斜めに設置する。その際、左眼から見て鏡の鏡面が見え、かつ鏡面には左耳側の物が映るように設置する。２枚目の鏡を１枚目の鏡の外側（左耳側）に斜めに設置する。その際、１枚目の鏡の鏡面と２枚目の鏡の鏡面が向い合うようにし、かつ左眼から見たときに１枚目の鏡の鏡面に２枚目の鏡の鏡面が映り、かつ映った２枚目の鏡の鏡面には前方の物が映るように設置する。すなわち、左眼が２枚の鏡を介して前方の物を見ることができるように２枚の鏡を設置する。
（ロ）右眼球側にも同様に２枚の鏡を設置するが、設置位置は左眼球側の２枚の鏡と対称（鼻を中心として）な位置とする。
（ハ）左右両眼はそれぞれが２枚の鏡を介して前方の物を見るが、左右両眼が同時に同じ物を見ることができるように鏡の位置、角度を調節する。
（ニ）以上のように設置した４枚の鏡を、適当な保持具により両眼球の前に保持するようにする。
【符号の説明】
【００２２】  （１）角膜
（２）水晶体
（３）毛様体筋
（４）網膜
（５）内転筋
（６）外転筋
（７）対象物
（８）対象物からの反射光
（９）眼球
（１０）視線
（１１）プリズム
（１２）鏡
【手続補正３】
【補正対象書類名】図面
【補正対象項目名】全図
【補正方法】変更
【補正の内容】
【図１】
2015000324.tif 000001
【図２】
2015000324.tif 000002
【図３】
2015000324.tif 000003
【図４】
2015000324.tif 000004
【図５】
2015000324.tif 000005
【図６】
2015000324.tif 000006
【図７】
2015000324.tif 000007
【図８】
2015000324.tif 000008
【図９】
2015000324.tif 000009